(57)【要約】  【課題】撮影方向とモニタ観察方向とに応じて、あらかじめ定めた特定の被写体に適した設定を行うようにした電子カメラを得る。  【解決手段】ＣＰＵ４３９は、角度検出センサ４４２がオン、すなわち、撮影方向が表示ＬＣＤ４４７を観察する撮影者自身の方向のとき、ワイドフォーカスエリアに切り替え、ズームポジションを広角端にする。ＣＰＵ４３９はさらに、撮影距離／セルフタイマー作動ボタン１１によってセルフタイマー非作動の設定が行われた場合に人物撮影に適した設定を行い、セルフタイマー作動の設定が行われた場合に風景撮影に適した設定を行う。両設定ではそれぞれ、レンズ駆動回路４３０に対する測距範囲の制限、閃光装置４に対する発光禁止解除、およびＤＳＰ４３３に対するホワイトバランス調整などの指示を行う。  【選択図】図５
2004236287.tif 000002
【特許請求の範囲】
【請求項１】
撮影レンズを通過した被写体像を撮像して撮像信号を出力する撮像素子と、
前記撮像信号による画像を表示する表示モニタと、
前記撮影レンズの光軸に直交する面と、前記表示モニタを観察する方向を示す直線とが作る角度を変更自在に前記表示モニタを支持する表示モニタ支持手段と、
前記角度を検出する角度検出手段と、
前記角度検出手段による検出角度に応じて、前記撮像前に行う処理に関してあらかじめ定めた特定の被写体に適した設定を行う制御手段とを備えることを特徴とする電子カメラ。
【請求項２】
請求項１に記載の電子カメラにおいて、
前記制御手段は、
(1)焦点検出装置に対し、測距範囲を第１の距離から前記第１の距離より遠方の第２の距離までの範囲内に制限するように指示する、
(2)前記焦点検出装置に対し、前記第１の距離から前記第２の距離に向けて測距処理を行うように指示する、
(3)前記焦点検出装置に対し、撮影画面の中で前記測距処理に用いる領域を初期値より広げるように指示する、
(4)閃光装置に対し、露出演算に基づいた適正露出に対応する光量より所定量低い光量で撮影時に発光するように指示する、
(5)閃光装置に対し、露出演算に基づいて前記閃光装置が発光不要とされている場合でも、撮像時に所定光量で発光するように指示する、
(6)予備発光装置に対し、前記閃光装置の発光前に予備発光するように指示する、
(7)シャッタ制御手段に対し、露出演算に基づいて決定されるシャッタ速度もしくは初期値より高速値に設定するように指示する、
(8)絞り制御手段に対し、露出演算に基づいて決定される絞り値もしくは初期値より開放側の値に設定するように指示する、
(9)測光手段に対し、撮影画面の中の複数の領域で測光するように指示する、
(10)前記焦点検出装置に対し、前記撮影レンズを通過した被写体光を用いて測距処理を行うように指示する、
の少なくとも１つを行うことを特徴とする電子カメラ。
【請求項３】
撮影レンズを通過した被写体像を撮像して撮像信号を出力する撮像素子と、
前記撮像信号による画像を表示する表示モニタと、
前記撮影レンズの光軸に直交する面と、前記表示モニタを観察する方向を示す直線とが作る角度を変更自在に前記表示モニタを支持する表示モニタ支持手段と、
前記角度を検出する角度検出手段と、
操作量に応じて半押し操作信号および全押し操作信号をそれぞれ出力するレリーズ操作部材と、
前記全押し操作信号が出力されてから所定時間を計時する計時手段と、
前記計時手段に対して計時可否を指示するための計時操作部材と、
前記計時操作部材によって計時可が指示されている状態で前記計時手段から出力される計時終了信号、前記計時操作部材によって計時否が指示されている状態で前記レリーズ操作部材から出力される前記半押し操作信号、および前記角度検出手段による検出角度に応じて、前記撮像前に行う第１の処理に関してあらかじめ定めた特定の被写体に適した設定、および前記撮像後に行う第２の処理に関してあらかじめ定めた特定の被写体に適した設定の少なくとも一方を行う制御手段とを備えることを特徴とする電子カメラ。
【請求項４】
請求項３に記載の電子カメラにおいて、
前記制御手段は、前記計時否の状態で前記レリーズ操作部材から前記半押し操作信号が出力されると前記第１の処理および前記第２の処理の少なくとも一方に関する設定を行い、
前記第１の処理に関する設定は、シャッタ制御手段および絞り制御手段の少なくとも一方に対し、露出演算に基づいた適正露出を所定量オーバーするように指示することであり、
前記第２の処理に関する設定は、
(1)ホワイトバランス調整手段に対し、肌色重視の調整値を用いて前記撮像信号に対するホワイトバランス調整を行うように指示する、
(2)輪郭強調処理手段に対し、前記撮像信号に対する輪郭強調量を初期値より低下するように指示する、
(3)ガンマ補正処理手段に対し、ガンマ特性を示す直線の傾きを小さくするように指示する、
の少なくとも１つであることを特徴とする電子カメラ。
【請求項５】
請求項３に記載の電子カメラにおいて、
前記制御手段は、前記計時手段が計時している状態で前記第１の処理に関する設定を行い、
前記第１の処理に関する設定は、
(1)焦点検出装置に対し、測距範囲を第１の距離から前記第１の距離より遠方の第３の距離までの範囲内に制限するように指示する、
(2)前記焦点検出装置に対し、前記第１の距離から前記第３の距離に向けて測距処理を行うように指示する、
(3)閃光装置に対し、露出演算に基づいて前記閃光装置が発光不要にされている場合でも、撮像時に所定光量で発光するように指示する、
(4)閃光装置に対し、前記閃光装置が発光禁止にされている場合に発光可にするように指示する、
の少なくとも１つであることを特徴とする電子カメラ。
【請求項６】
請求項１〜５のいずれかに記載の電子カメラにおいて、
前記制御手段は、前記撮影レンズに被写体光が入射する方向と前記表示モニタを観察する方向とが略一致して前記検出角度が略９０度となる場合に、前記設定を行うことを特徴とする電子カメラ。
【請求項７】
撮影レンズを通過した被写体像を撮像して撮像信号を出力する撮像素子と、
前記撮像信号による画像を表示する表示モニタと、
前記撮影レンズの光軸に直交する面と、前記表示モニタを観察する方向を示す直線とが作る角度を変更自在に前記表示モニタを支持する表示モニタ支持手段と、
前記角度を検出する角度検出手段と、
前記撮像時に所定の処理を行う第１の撮影モードと、被写体に応じて前記第１の撮影モードによる処理と異なる処理を行う第２の撮影モードとの切替えを指示するためのモード切替え操作部材と、
前記角度検出手段による検出角度に応じて、前記モード切替え操作部材による指示にかかわらず前記第１の撮影モードおよび前記第２の撮影モードを切替える制御手段とを備えることを特徴とする電子カメラ。
【請求項８】
請求項７に記載の電子カメラにおいて、
前記制御手段は、前記撮影レンズに被写体光が入射する方向と前記表示モニタを観察する方向とが略一致し、前記角度検出手段による検出角度が略９０度の場合に前記第１の撮影モードに切替えることを特徴とする電子カメラ。
【請求項９】
請求項８に記載の電子カメラにおいて、
前記制御手段は、前記モード切替え操作部材による指示が前記第２の撮影モードの場合、前記角度検出手段によって略９０度が検出されなくなると前記第２の撮影モードに切替えることを特徴とする電子カメラ。
【請求項１０】
請求項７〜９のいずれかに記載の電子カメラにおいて、
前記第２の撮影モードは、花火撮影モード、クローズアップ撮影モード、および風景撮影モードのいずれかであることを特徴とする電子カメラ。
【発明の詳細な説明】
【技術分野】
【０００１】
本発明は、撮像する被写体の方向と表示モニタを観察する方向との相対関係を変更自在な電子カメラに関する。
【背景技術】
【０００２】
撮影レンズの方向が可変に構成された電子カメラが知られている（たとえば、特許文献１参照）。このカメラでは、撮影レンズが撮影者自身に向けられたことを検出した場合に、被写体である人物の肌色を健康的なイメージにするように、撮影した画像に対して画像補正処理が行われる。
【０００３】
【特許文献１】特開２０００−２３０２０号公報
【発明の開示】
【発明が解決しようとする課題】
【０００４】
電子カメラで撮影者自身を撮影するとき、ＡＦ（焦点検出）、ＡＥ（露出演算）、閃光装置の発光の可否などさまざまな設定操作が必要である。これらの設定内容は撮影者自身を撮影するたびに行う必要があり、操作がわずらわしいものであった。
【課題を解決するための手段】
【０００５】
本発明による電子カメラは、撮影レンズを通過した被写体像を撮像して撮像信号を出力する撮像素子と、撮像信号による画像を表示する表示モニタと、撮影レンズの光軸に直交する面と、表示モニタを観察する方向を示す直線とが作る角度を変更自在に表示モニタを支持する表示モニタ支持手段と、角度を検出する角度検出手段と、角度検出手段による検出角度に応じて、撮像前に行う処理に関してあらかじめ定めた特定の被写体に適した設定を行う制御手段とを備えることを特徴とする。
上記制御手段は、(1)焦点検出装置に対し、測距範囲を第１の距離から第１の距離より遠方の第２の距離までの範囲内に制限するように指示する、(2)焦点検出装置に対し、第１の距離から第２の距離に向けて測距処理を行うように指示する、(3)焦点検出装置に対し、撮影画面の中で測距処理に用いる領域を初期値より広げるように指示する、(4)閃光装置に対し、露出演算に基づいた適正露出に対応する光量より所定量低い光量で撮影時に発光するように指示する、(5)閃光装置に対し、露出演算に基づいて閃光装置が発光不要とされている場合でも、撮像時に所定光量で発光するように指示する、(6)予備発光装置に対し、閃光装置の発光前に予備発光するように指示する、(7)シャッタ制御手段に対し、露出演算に基づいて決定されるシャッタ速度もしくは初期値より高速値に設定するように指示する、(8)絞り制御手段に対し、露出演算に基づいて決定される絞り値もしくは初期値より開放側の値に設定するように指示する、(9)測光手段に対し、撮影画面の中の複数の領域で測光するように指示する、(10)焦点検出装置に対し、撮影レンズを通過した被写体光を用いて測距処理を行うように指示する、の少なくとも１つを行うように構成してよい。
本発明による電子カメラは、撮影レンズを通過した被写体像を撮像して撮像信号を出力する撮像素子と、撮像信号による画像を表示する表示モニタと、撮影レンズの光軸に直交する面と、表示モニタを観察する方向を示す直線とが作る角度を変更自在に表示モニタを支持する表示モニタ支持手段と、角度を検出する角度検出手段と、操作量に応じて半押し操作信号および全押し操作信号をそれぞれ出力するレリーズ操作部材と、全押し操作信号が出力されてから所定時間を計時する計時手段と、計時手段に対して計時可否を指示するための計時操作部材と、計時操作部材によって計時可が指示されている状態で計時手段から出力される計時終了信号、計時操作部材によって計時否が指示されている状態でレリーズ操作部材から出力される半押し操作信号、および角度検出手段による検出角度に応じて、撮像前に行う第１の処理に関してあらかじめ定めた特定の被写体に適した設定、および撮像後に行う第２の処理に関してあらかじめ定めた特定の被写体に適した設定の少なくとも一方を行う制御手段とを備えることを特徴とする。
上記制御手段は、計時否の状態でレリーズ操作部材から半押し操作信号が出力されると第１の処理および第２の処理の少なくとも一方に関する設定を行い、第１の処理に関する設定は、シャッタ制御手段および絞り制御手段の少なくとも一方に対し、露出演算に基づいた適正露出を所定量オーバーするように指示してもよい。第２の処理に関する設定は、(1)ホワイトバランス調整手段に対し、肌色重視の調整値を用いて撮像信号に対するホワイトバランス調整を行うように指示する、(2)輪郭強調処理手段に対し、撮像信号に対する輪郭強調量を初期値より低下するように指示する、(3)ガンマ補正処理手段に対し、ガンマ特性を示す直線の傾きを小さくするように指示する、の少なくとも１つを行うとよい。
上記制御手段は、計時手段が計時している状態で第１の処理に関する設定を行い、第１の処理に関する設定は、(1)焦点検出装置に対し、測距範囲を第１の距離から第１の距離より遠方の第３の距離までの範囲内に制限するように指示する、(2)焦点検出装置に対し、第１の距離から第３の距離に向けて測距処理を行うように指示する、(3)閃光装置に対し、露出演算に基づいて閃光装置が発光不要にされている場合でも、撮像時に所定光量で発光するように指示する、(4)閃光装置に対し、閃光装置が発光禁止にされている場合に発光可にするように指示する、の少なくとも１つを行うとよい。
制御手段は、撮影レンズに被写体光が入射する方向と表示モニタを観察する方向とが略一致して検出角度が略９０度となる場合に、設定を行うように構成することもできる。
【０００６】
本発明による電子カメラは、撮影レンズを通過した被写体像を撮像して撮像信号を出力する撮像素子と、撮像信号による画像を表示する表示モニタと、撮影レンズの光軸に直交する面と、表示モニタを観察する方向を示す直線とが作る角度を変更自在に表示モニタを支持する表示モニタ支持手段と、角度を検出する角度検出手段と、撮像時に所定の処理を行う第１の撮影モードと、被写体に応じて第１の撮影モードによる処理と異なる処理を行う第２の撮影モードとの切替えを指示するためのモード切替え操作部材と、角度検出手段による検出角度に応じて、モード切替え操作部材による指示にかかわらず第１の撮影モードおよび第２の撮影モードを切替える制御手段とを備えることを特徴とする。
上記制御手段は、撮影レンズに被写体光が入射する方向と表示モニタを観察する方向とが略一致し、角度検出手段による検出角度が略９０度の場合に第１の撮影モードに切替えることもできる。この場合の制御手段は、モード切替え操作部材による指示が第２の撮影モードの場合、角度検出手段によって略９０度が検出されなくなると第２の撮影モードに切替えることもできる。
第２の撮影モードは、花火撮影モード、クローズアップ撮影モード、および風景撮影モードのいずれかであってもよい。
【発明の効果】
【０００７】
本発明による電子カメラでは、撮影方向とモニタ観察方向とに応じて、たとえば、撮影者自身のような特定の被写体に適した撮影条件などの設定を行うことができる。
【発明を実施するための最良の形態】
【０００８】
以下、図面を参照して本発明を実施するための最良の形態について説明する。
（第一の実施形態）
図１は、本発明の第一の実施形態による電子カメラ１の外観を示す上面図であり、図２は図１の電子カメラ１の正面図である。本実施の形態による電子カメラ１は、撮影光学系２を含むレンズユニット１aと表示ＬＣＤ３を含むモニターユニット１bとに分割され、両ユニット１a、１bが相対的に回転可能に連結されている。電子カメラ１は収納時もしくは携帯時において、図１の状態、すなわち、レンズユニット１aおよびモニターユニット１bの面をフラットにするように、レンズユニット１aがモニターユニット１bに対して回転される。
【０００９】
図３は、図１および図２に示した電子カメラ１の通常撮影時の外観を示す上面図であり、図４は電子カメラ１で撮影者自身を撮影する時の外観を示す上面図である。図３の通常撮影時において、電子カメラ１はレンズユニット１aがモニターユニット１bに対して回転され、撮影光学系２が被写体方向に向けられる。このとき、モニターユニット１bの表示ＬＣＤ３は撮影者の方向に向けて保持されているので、撮影者は表示ＬＣＤ３を見ながら撮影を行うことができる。
【００１０】
図４に示すように撮影者自身を撮影する時、電子カメラ１はレンズユニット１aがモニターユニット１bに対して回転され、撮影光学系２が撮影者自身の方向に向けられる。モニターユニット１bの表示ＬＣＤ３も撮影者の方向に向けて保持されているので、撮影者は表示ＬＣＤ３を見ながら自らを撮影することができる。
【００１１】
図１において、レンズユニット１aには、撮影光学系２の他に電子閃光装置４、ファインダー窓５、および赤目軽減・セルフタイマー作動表示ランプ６などが備えられている。一方、モニターユニット１bには、表示ＬＣＤ３の他にメインスイッチ８、レリーズボタン９、表示パネル１０、撮影距離／セルフタイマー作動ボタン１１、閃光モードボタン１２、画質ボタン１３、モニターボタン１４、メニューボタン１５、ズーム操作スイッチ１６、コマンドダイヤル１７、およびＡＦ領域選択ボタン１９a〜１９dなどが備えられている。
【００１２】
メインスイッチ８は、電源のオン／オフ操作を行うスイッチである。レリーズボタン９は、不図示の半押しスイッチおよび全押しスイッチに連動するように構成され、半押し操作に応じて半押しスイッチをオンさせ、全押し操作に応じて全押しスイッチをオンさせる。表示パネル１０は、カメラ情報を表示する。コマンドダイヤル１７は、電子カメラ１の記録モードおよび再生モードの切換操作を行う。ここで、記録モードとは被写体像を撮影し、その画像データを記録するモードであり、再生モードとは記録した画像データを読み出して表示ＬＣＤ３（図２）に再生表示するモードである。
【００１３】
図２において、表示ＬＣＤ３は画像表示およびメニュー表示を行う。表示ＬＣＤ３は記録モード時に、後述するＣＣＤ２１４によって撮像された被写体像を逐次表示する。また、表示ＬＣＤ３は再生モード時に、後述する記録媒体４２４に記憶されている画像データによる画像や、サムネイル画像などを再生表示する。
【００１４】
モニターボタン１４は、表示ＬＣＤ３の表示のオン／オフ操作を行うスイッチである。メニューボタン１５は、表示ＬＣＤ３にメニュー表示させるボタンである。メニューボタン１５が操作されると、表示ＬＣＤ３が各種設定を行う設定メニューを表示する。電子カメラ１は撮影シーンに応じて最適な撮影ができる撮影モードを複数備えており、撮影モードの設定メニューを表示するとき、たとえば、花火撮影モード、クローズアップ撮影モード、風景撮影モードなどの撮影モードの種類が表示ＬＣＤ３に表示される。撮影者は、ＡＦ領域選択ボタン１９a〜１９d（メニュー表示時はメニュー選択ボタンとして使用する）を操作することによって、表示メニューの中から設定すべき項目を選択する。
【００１５】
ズーム操作スイッチ１６は、撮影光学系２のズーム操作を行う。ズーム操作スイッチ１６をＷ側に操作すると撮影光学系２が広角側に駆動され、ズーム操作スイッチ１６をＴ側に操作すると撮影光学系２が望遠側に駆動される。
【００１６】
撮影距離／セルフタイマー作動ボタン１１は、撮影距離を風景撮影に適した無限遠にする、撮影距離をマクロ撮影に適した至近にする、およびセルフタイマー作動／非作動の設定を行う。撮影距離／セルフタイマー作動ボタン１１を押すごとに、設定内容がサイクリックに切替わる。閃光モードボタン１２は、閃光装置４（図１）の強制発光、赤目軽減ランプ６の発光、および閃光装置４の発光禁止の設定を行う。閃光モードボタン１２を押すごとに、設定内容がサイクリックに切替わる。画質ボタン１３は、後述する画像データのデータ圧縮時の圧縮率の設定を行う。
【００１７】
図５は、上述した電子カメラ１の回路ブロック図である。メインスイッチ８（図１）をオン操作すると、電子カメラ１の電源がオンされる。これにより、ＣＰＵ４３９がＲＯＭ４４３に記憶されている制御プログラムを起動する。電子カメラ１は、コマンドダイヤル１７によって記録モードに設定されると撮影可能になる。一方、電子カメラ１は、コマンドダイヤル１７によって再生モードに設定されると、メモリカード４２４に記録されている画像データに基づく画像を表示ＬＣＤ４４７に再生表示することができる。なお、記録モード時には、ＣＣＤ２１４からの撮像信号に基づく画像が表示ＬＣＤ４４７に表示される。バックライト４４１は表示ＬＣＤ４４７を照明する。図２の表示ＬＣＤ３は、表示ＬＣＤ４４７およびバックライト４４１により構成される。
【００１８】
撮影光学系２は複数のレンズ２０１〜２０４を有し、レンズ２０３とレンズ２０４との間にはシャッタ板２０８および絞り２１５が設けられている。撮影光学系２に入射した被写体光は、レンズ２０１〜２０４、シャッタ板２０８および絞り板２１５を通過してＣＣＤ２１４の撮像面上に結像される。絞り板２１５およびシャッタ板２０８は円盤状に形成されており、円盤の回転中心にそれぞれ設けられたステップモータ４１５、４０８により駆動される。絞り板２１５には開口面積の異なる複数の絞り開口部が設けられており、ステップモータ４１５で絞り板２１５を回転させて任意の１つの絞り開口部を光軸上に配設する。
【００１９】
シャッタ板２０８にはレンズ２０３を通過した全ての光束を遮光する完全遮光部と、全ての光束を通過させる開口部とが設けられており、露光時にはシャッタ板２０８の開口部が光路上にセットされ、露光終了とともに完全遮光部が光路上にセットされる。絞り駆動回路４５３は、ステップモータ４１５を駆動制御する。シャッタ駆動回路４５４は、ステップモータ４０８を駆動制御する。撮影の際には、まず、ＣＣＤ２１４に蓄積されている電荷が排出されるとともに、絞り板２１５の所定の開口部が光路上にセットされる。ＣＣＤ２１４が所定時間露光されると電荷が再び蓄積されるが、上記電荷の排出から再びシャッタ板２０８の完全遮光部で光路が遮光されるまでの時間が露光時間に対応している。
【００２０】
撮影光学系２の焦点調節動作はレンズ駆動回路４３０により行われる。このレンズ駆動回路４３０による焦点調節動作は、通常、ＣＰＵ４３９の指令により行われるが、距離環４６２をマニュアル操作した際に出力される操作信号によっても焦点調節動作を行わせることができる。レンズ駆動回路４３０は、撮影光学系２のズームレンズ（不図示）駆動も行う。
【００２１】
ＣＣＤ２１４の撮像面上に被写体像が結像されると、被写体像の光の強弱に応じた信号電荷が蓄積される。ＣＣＤ２１４にはデジタルシグナルプロセッサ(以下、ＤＳＰと呼ぶ)４３３から水平駆動信号が供給されるとともに、ＤＳＰ４３３により制御されるＣＣＤ駆動回路４３４から垂直駆動信号が供給される。すなわち、ＣＣＤ２１４はＤＳＰ４３３およびＣＣＤ駆動回路４３４によりタイミング制御され、ＣＣＤ２１４からの信号は画像処理部４３１に入力される。
【００２２】
画像処理部４３１はノイズ除去回路や直流再生回路などを有しており、ＣＣＤ２１４から出力された画像信号に対してノイズ除去、ゲインコントロールなどのアナログ処理を施した後に、アナログ／デジタル変換回路(以下、Ａ／Ｄ変換回路と呼ぶ)４３２に出力する。Ａ／Ｄ変換回路４３２は画像処理部４３１から出力された画像信号をデジタル信号に変換し、変換後の画像データを上述したＤＳＰ４３３へ出力する。
【００２３】
ＤＳＰ４３３では、Ａ／Ｄ変換回路４３２から出力された画像データに対して輪郭強調やガンマ補正、ホワイトバランス調整などの画像処理が施される。また、ＤＳＰ４３３はバッファメモリ４３６およびメモリカード４２４に接続されているデータバスを制御して、各種画像処理が施された画像データをバッファメモリ４３６に一旦記憶させた後に、バッファメモリ４３６から画像データを読出し、所定の圧縮形式（例えば、ＪＰＥＧ方式）でデータ圧縮してメモリカード４２４に記録させる。
【００２４】
また、ＤＳＰ４３３は、ＣＣＤ２１４で撮像され上記画像処理が行われた後の画像データやメモリカード４２４から読み出され伸張された画像データをフレームメモリ４３５に記憶させ、それらの画像データに基づく画像を電子カメラ１に設けられた表示ＬＣＤ４４７に表示させる。さらに、ＤＳＰ４３３は、上述した画像データのメモリカード４２４への記録、および伸張後の撮影画像データのバッファメモリ４３６への記録などにおけるデータ入出力のタイミング管理も行う。
【００２５】
ＣＣＤ２１４の出力に基づく画像データが一時的に格納されるバッファメモリ４３６は、メモリカード４２４に対する画像データの入出力の速度の違いや、ＣＰＵ４３９やＤＳＰ４３３等における処理速度の違いを緩和するために利用される。タイマ４４５は時計回路を内蔵し、現在の時刻に対応するタイムデータをＣＰＵ４３９に出力する。このタイムデータは、上述した画像データとともにメモリカード４２４に記録される。
【００２６】
測色素子４１７は主要被写体およびその周囲の色温度を検出し、検出した色温度のデータを測色回路４５２へ出力する。測色回路４５２は測色素子４１７から出力されたアナログ信号に所定の処理を施してデジタル値に変換し、変換後のデジタル信号をＣＰＵ４３９へ出力する。インターフェース４４８は所定の外部装置(不図示)を接続して、ＣＰＵ４３９および接続した外部装置との間でデータの送受を行うように設けられている。表示回路４４０は、撮影動作における設定内容を表示する表示パネル１０を制御する。充電回路４４９は、閃光装置４を用いてフラッシュ撮影が行われるとき、発光に備えて充電を行う。
【００２７】
角度検出センサ４４２は、レンズユニット１aおよびモニターユニット１b間の相対的な回転角を検出し、検出信号をＣＰＵ４３９へ出力する。角度検出センサ４４２は、たとえば、図１（図２）の状態で０度を示す検出信号を出力し、図３の状態２７０度を示す検出信号を出力し、図４の状態で９０度を示す検出信号を出力する。すなわち、角度検出センサ４４２は、撮影光学系２の光軸に直交する面と、表示ＬＣＤ３を観察する方向を示す直線とが作る角度を検出する。
【００２８】
以上説明した電子カメラ１の動作について説明する。なお、本発明は記録モード時の動作に特徴を有するので、主として記録モードの説明を行う。
【００２９】
《記録モード》
電子カメラ１で撮影を行う場合には、コマンドダイヤル１７を記録モードに設定してメインスイッチ８をオンとするか、メインスイッチ８をオンとした後にコマンドダイヤル１７を記録モードに設定する。ＣＣＤ２１４から出力された撮像信号は、画像処理部４３１でノイズ除去やゲインコントロールなどのアナログ処理が施された後に、Ａ／Ｄ変換回路４３２によりデジタル信号に変換される。デジタル変換された信号は上述したＤＳＰ４３３に導かれ、そこで輪郭強調、ガンマ補正等の画像処理が行われて一旦バッファメモリ４３６に格納される。
【００３０】
その後、ＣＰＵ４３９は、測色回路４５２から入力された色温度を示す情報を用いてホワイトバランス調整値を求め、求めた調整値をＤＳＰ４３３に送る。ＤＳＰ４３３は、この調整値に基づいてバッファメモリ４３６に格納されている画像データに対するホワイトバランス調整を行う。ホワイトバランス調整後の画像データは、再びバッファメモリ４３６へ格納される。バッファメモリ４３６に格納された画像データは、ＤＳＰ４３３において表示ＬＣＤ４４７に表示するための画像データに処理される。処理された画像データはフレームメモリ４３５に書き込まれ、スルー画像と呼ばれる撮影モニタ画像として表示ＬＣＤ４４７に表示される。このスルー画像は、以上の動作が繰り返し行われることにより、撮影光学系２に入射される被写体光に基づいて所定の間隔で逐次更新される。
【００３１】
レリーズボタン９の半押し操作により不図示の半押しスイッチがオンすると、画像データのコントラストに基づいて撮影光学系２の焦点調節状態が検出され、ピントの合った被写体像がＣＣＤ２１４上に結像されるように、レンズ駆動回路４３０による焦点調節動作が行われる。焦点調節状態の検出に用いる領域は、撮影画面の中で上述したＡＦ領域選択ボタン１９a〜１９dによって選択されている所定の領域である。ＡＦ領域は、たとえば、撮影画面の中央、上部、下部、左部、右部から選択される。また、半押しスイッチ（不図示）がオンすると、ＣＰＵ４３９によって画像データから被写体の輝度が検出され、検出された輝度に基づいた露出演算が行われる。
【００３２】
なお、電子カメラ１では、焦点調節動作として「コンティニュアスＡＦモード」と呼ばれるモードと、「シングルＡＦモード」と呼ばれるモードとを有している。コンティニュアスＡＦモードでは、レリーズボタン９の操作に関係なく焦点調節動作が繰り返し行われ、レリーズボタン９の半押し操作によりフォーカスロックされる。一方、シングルＡＦモードでは、レリーズボタン９が半押し操作されたときにのみ焦点調節動作が行われフォーカスロックされる。
【００３３】
レリーズボタン９の半押し操作に続いて、さらにレリーズボタン９が全押し操作されると不図示の全押しスイッチがオンする。その結果、ＣＣＤ２１４に蓄積されている信号電荷が一旦吐き出された後に、シャッタ板２０８と絞り板２１５とが露出演算の結果に基づいて駆動され、ＣＣＤ２１４による撮像が行われる。なお、この撮影の際には、露出演算結果と閃光モードボタン１２（図２）による設定とに応じて、閃光装置４が発光される場合もある。
【００３４】
この撮像後にＣＣＤ２１４から出力された撮像信号は、上述した一連の画像処理が施されバッファメモリ４３６に格納される。バッファメモリ４３６に格納された画像データは、ＤＳＰ４３３において表示ＬＣＤ４４７に表示するための画像データに処理された後にフレームメモリ４３５に書き込まれ、フリーズ画像と呼ばれる撮影画像が表示ＬＣＤ４４７に表示される。このような画像前処理が行われた画像データは、さらにＤＳＰ４３３によりデータ圧縮が行われ、ＣＰＵ４３９により所定のデータ名を付与されてタイマ４４５からのタイム情報とともに、フラッシュメモリ等の記録媒体であるメモリカード４２４に記録される。
【００３５】
本発明による電子カメラ１は、角度検出センサ４４２による検出角度に応じて、撮影時の設定処理を自動的に行うことに特徴を有する。
【００３６】
図６および図７は、電子カメラ１のＣＰＵ４３９によって行われる処理の流れを説明するフローチャートである。メニュー設定の中で角度検出センサ４４２による検出角度に応じた処理を行うオートモードが選択されると、ＣＰＵ４３９は、図６による処理を開始する。なお、電子カメラ１は、上述したコンティニュアスＡＦモードに設定されているものとして説明する。
【００３７】
ステップＳ１１において、ＣＰＵ４３９は、角度検出センサ４４２がオンか否かを判定する。角度検出センサ４４２がオンとは、角度検出センサ４４２から出力される検出信号が、たとえば、９０度±５度の状態をいう。ＣＰＵ４３９は、角度検出センサ４４２がオン、すなわち、電子カメラ１が図４に示す状態のとき、ステップＳ１１を肯定判定してステップＳ１２へ進む。一方、ＣＰＵ４３９は、角度検出センサ４４２がオフ、たとえば、電子カメラ１が図３に示す状態のとき、ステップＳ１１を否定判定してステップＳ３５へ進む。ステップＳ１２へ進む場合は、撮影方向が表示ＬＣＤ３を観察する人（撮影者自身）の方向であり、ステップＳ３５へ進む場合は、撮影方向が表示ＬＣＤ３を観察する人の方向と異なる場合である。
【００３８】
ステップＳ３５において、ＣＰＵ４３９は、通常のシーケンス処理による撮影を行って図６による処理を終了する。通常のシーケンス処理とは、角度検出センサ４４２による検出角度に応じた自動設定を行わない処理のことをいう。通常のシーケンス処理についての説明は省略する。
【００３９】
ステップＳ１２において、ＣＰＵ４３９はＤＳＰ４３３に指令を出力し、ＣＣＤ２１４で撮像され上記画像前処理が行われた後の画像データを左右反転し、鏡像を表示ＬＣＤ４４７に表示させてステップＳ１３へ進む。これにより、撮影者は自らを撮像した鏡像を、スルー画像として表示ＬＣＤ３（４４７）上で観察することができる。ステップＳ１３において、ＣＰＵ４３９はレンズ駆動回路４３０に指令を出力し、撮影光学系２のズームレンズ（不図示）を広角端に移動させてステップＳ１４へ進む。
【００４０】
ステップＳ１４において、ＣＰＵ４３９は、焦点検出用の領域を広げる（ワイドフォーカスエリアにする）ようにレンズ駆動回路４３０に指示してステップＳ１５へ進む。ステップＳ１５において、ＣＰＵ４３９は、撮影距離／セルフタイマー作動ボタン１１によってセルフタイマーが作動するように設定されているか否かを判定する。ＣＰＵ４３９は、セルフタイマー作動の設定が行われている場合にステップＳ１５を肯定判定してステップＳ２５へ進み、セルフタイマー非作動の設定が行われている場合にステップＳ１５を否定判定してステップＳ１６へ進む。ステップＳ１６へ進む場合は、撮影者が自らを撮影するとみなせるので、撮影者の腕の長さに相当する撮影距離の設定、および人物を重視した画像設定処理を行う。ステップＳ２５へ進む場合は、記念撮影が想定されるので、たとえば、撮影距離２m 、および風景を重視した画像設定処理を行う。
【００４１】
ステップＳ１６において、ＣＰＵ４３９はレンズ駆動回路４３０に指令を出力し、焦点調節動作の範囲、すなわち、ＡＦ（オートフォーカス）による測距範囲を、たとえば、４０cm〜８０cmの範囲にするように制限を与えてステップＳ１７へ進む。ステップＳ１７において、ＣＰＵ４３９はレンズ駆動回路４３０に指令を出力し、撮影光学系２のフォーカスレンズ（不図示）を至近端に移動させてステップＳ１８へ進む。
【００４２】
ステップＳ１８において、ＣＰＵ４３９は、輝度を検出する測光処理を行うとともに、レンズ駆動回路４３０に測距（ＡＦ）処理を指示してステップＳ１９へ進む。ステップＳ１９において、ＣＰＵ４３９は、半押しスイッチ（不図示）がオンされたか否かを判定する。ＣＰＵ４３９は、半押しスイッチがオンされた場合にステップＳ１９を肯定判定してステップＳ２０へ進み、半押しスイッチがオンされていない場合にステップＳ１９を否定判定してステップＳ１８の処理へ戻る。
【００４３】
ステップＳ２０において、ＣＰＵ４３９は、人物重視の画像処理設定を行ってステップＳ２１へ進む。人物重視の設定処理の詳細については後述する。ステップＳ２１において、ＣＰＵ４３９は、レンズ駆動回路４３０に再び測距（ＡＦ）処理を指示してステップＳ２２へ進む。ステップＳ２２において、ＣＰＵ４３９はレンズ駆動回路４３０に指令を出力し、測距結果が４０cm〜８０cmの範囲に収まらない（８０cmより遠方である）場合に、撮影距離８０cmに対応する位置にフォーカスレンズ（不図示）を移動させ、ステップＳ２３へ進む。なお、測距結果が４０cm〜８０cmの範囲内である場合は、当該撮影距離に対応する位置にフォーカスレンズ（不図示）を移動させる。
【００４４】
ステップＳ２３において、ＣＰＵ４３９は、全押しスイッチ（不図示）がオンされたか否かを判定する。ＣＰＵ４３９は、全押しスイッチがオンされた場合にステップＳ２３を肯定判定してステップＳ２４へ進み、全押しスイッチがオンされていない場合にステップＳ２３を否定判定し、判定処理を繰り返す。
【００４５】
ステップＳ２４において、ＣＰＵ４３９は、閃光モードボタン１２による設定内容にかかわらず閃光装置４に指令を出力し、赤目軽減ランプ６をプリ発光させる。ＣＰＵ４３９はさらに、不図示の音声再生装置に指令を出力し、たとえば、「笑って」などの音声再生を行わせて図７のステップＳ３０へ進む。再生する音声データは、あらかじめ音声再生装置内のメモリに記憶されている。
【００４６】
図７のステップＳ３０において、ＣＰＵ４３９は、絞り駆動回路４５３およびシャッタ駆動回路４５４にそれぞれ制御絞り値および制御シャッタ速度を出力するとともに、ＤＳＰ４３３に露光開始を指示してステップＳ３１へ進む。ステップＳ３１において、ＣＰＵ４３９は、閃光装置４に指令を出力し、閃光装置４を所定光量で発光させてステップＳ３２へ進む。閃光装置４の発光量については後述する。
【００４７】
ステップＳ３２において、ＣＰＵ４３９は、ＤＳＰ４３３から露光完了を示す情報を受けるとステップＳ３３へ進む。ステップＳ３３において、ＣＰＵ４３９は、ＤＳＰ４３３にホワイトバランス調整や輪郭強調、ガンマ補正などの画像前処理、ならびにデータ圧縮などの画像後処理を指示してステップＳ３４へ進む。ステップＳ３４において、ＣＰＵ４３９は、データ圧縮後の画像データをメモリカード４２４に記録し、図７による処理を終了する。
【００４８】
上述したステップＳ１５を肯定判定して進むステップＳ２５において、ＣＰＵ４３９はレンズ駆動回路４３０に指令を出力し、ＡＦ（オートフォーカス）による測距範囲を、たとえば、４０cm〜２m の範囲にするように制限を与えてステップＳ２６へ進む。ステップＳ２６において、ＣＰＵ４３９は、記念撮影モードの画像処理設定を行ってステップＳ２７へ進む。記念撮影モードの設定処理の詳細については後述する。
【００４９】
ステップＳ２７において、ＣＰＵ４３９はレンズ駆動回路４３０に指令を出力し、撮影光学系２のフォーカスレンズ（不図示）を至近端に移動させてから測距（ＡＦ）処理を開始させてステップＳ２８へ進む。ステップＳ２８において、ＣＰＵ４３９はレンズ駆動回路４３０に指令を出力し、測距結果が４０cm〜２m の範囲に収まらない（２m より遠方である）場合に、撮影距離２m に対応する位置にフォーカスレンズ（不図示）を移動させ、ステップＳ２９へ進む。なお、測距結果が４０cm〜２m の範囲内である場合は、当該撮影距離に対応する位置にフォーカスレンズ（不図示）を移動させる。
【００５０】
ステップＳ２９において、ＣＰＵ４３９は、全押しスイッチ（不図示）がオンしてからセルフタイマー用にあらかじめ設定されている所定時間が経過したか否かを判定する。ＣＰＵ４３９は、タイムアップ信号により所定時間が経過したと判定するとステップＳ２９を肯定判定してステップＳ２４へ進み、所定時間が未経過の場合はステップＳ２９を否定判定し、判定処理を繰り返す。なお、セルフタイマー時間の計時は、ＣＰＵ４３９内の不図示のタイマ回路によって行う。
【００５１】
図８は、人物重視の設定処理の詳細を説明するフローチャートである。図８のステップＳ５１において、ＣＰＵ４３９は、閃光モードボタン１２による設定内容にかかわらず、閃光装置４の発光量を以下のように設定する。ＣＰＵ４３９は、被写体輝度に基づいた露出演算によって閃光装置４の発光が必要であると判定されるとき、たとえば、適正露出が得られる光量より０．５ＥＶ相当少ない光量を設定する。この光量は、たとえば、ＩＳＯ１００、Ｆ２．８、撮影距離５０cmの場合にガイドナンバ２．８である。また、ＣＰＵ４３９は、被写体輝度に基づいた露出演算によって閃光装置４の発光が不要であると判定されるとき、所定値より少ない光量を設定する。この光量は、たとえば、ＩＳＯ１００、Ｆ２．８、撮影距離５０cmの場合にガイドナンバ０．５である。ＣＰＵ４３９は、発光量を設定するとステップＳ５２へ進む。
【００５２】
ステップＳ５２において、ＣＰＵ４３９は、露光後（ステップＳ３３）のホワイトバランス調整時のホワイトバランス調整値として、測色回路４５２による色温度の情報を用いて肌色重視のホワイトバランス調整値を得ることを自らに設定し、ステップＳ５３へ進む。これにより、ＤＳＰ４３３がホワイトバランス調整する時、撮影画面に有する被写体の肌色部分の緑色成分を抑えるような調整を行う。ステップＳ５３において、ＣＰＵ４３９は、露光後（ステップＳ３３）の輪郭強調処理を弱くするようにＤＳＰ４３３に指令を出力し、ステップＳ５４へ進む。これにより、ＤＳＰ４３３が輪郭強調する時、通常シーケンス（ステップＳ３５）より弱く輪郭強調処理を行う。
【００５３】
ステップＳ５４において、ＣＰＵ４３９は、露出演算によって算出される適正露出に対し、たとえば、＋０．５ＥＶするように露出補正量を自らに設定し、ステップＳ５５へ進む。ステップＳ５５において、ＣＰＵ４３９は、測距値（撮影距離）、測光量（被写体輝度）、露出補正量、および閃光装置の発光量を用いて露光量を決定し、ステップＳ５６へ進む。ステップＳ５６において、ＣＰＵ４３９は、露光後（ステップＳ３３）のガンマ補正処理時の階調特性が示す傾斜を緩やかにするようにＤＳＰ４３３に指令を出力し、図８による処理を終了して図６のステップＳ２１へ進む。これにより、ＤＳＰ４３３がガンマ補正処理する時、通常シーケンス（ステップＳ３５）より画像のコントラストが低くなるように補正処理を行う。
【００５４】
図９は、記念撮影モードの設定処理の詳細を説明するフローチャートである。図９のステップＳ６１において、ＣＰＵ４３９は、閃光モードボタン１２による設定内容にかかわらず、閃光装置４の発光量を以下のように設定する。ＣＰＵ４３９は、被写体輝度に基づいた露出演算によって閃光装置４の発光が必要であると判定されるとき、適正露出が得られる光量を設定する。また、ＣＰＵ４３９は、被写体輝度に基づいた露出演算によって閃光装置４の発光が不要であると判定されるとき、所定値より少ない光量を設定する。この光量は、たとえば、ＩＳＯ１００、Ｆ２．８、撮影距離５０cmの場合にガイドナンバ０．５である。ＣＰＵ４３９は、発光量を設定するとステップＳ６２へ進む。
【００５５】
ステップＳ６２において、露光後（ステップＳ３３）のホワイトバランス調整時のホワイトバランス調整値として、測色回路４５２による色温度の情報を用いて緑色重視のホワイトバランス調整値を得ることを自らに設定し、ステップＳ６３へ進む。これにより、ＤＳＰ４３３がホワイトバランス調整する時、撮影画面に有する被写体の緑色部分を鮮やかに表現するような調整を行う。ステップＳ６３において、ＣＰＵ４３９は、測距値（撮影距離）、測光量（被写体輝度）、および閃光装置の発光量を用いて露光量を決定し、図９による処理を終了して図６のステップＳ２７へ進む。
【００５６】
角度検出センサ４４２による検出角度と、上述した撮影シーンに応じた撮影モードとの対応について説明する。角度検出センサ４４２がオンにされると、ＣＰＵ４３９は、花火撮影モード、クローズアップ撮影モード、風景撮影モードなどの設定されている撮影モードを解除する。解除した場合の設定内容は、上述した図６のステップＳ１２以降の処理による。なお、角度検出センサ４４２がオフにされた場合は、角度検出センサ４４２がオンされる直前の設定内容に戻る。すなわち、角度検出センサ４４２がオンにされる直前に花火撮影モード、クローズアップ撮影モード、風景撮影モードなどのいずれかに設定されていた場合は、角度検出センサ４４２がオフされると、それぞれ元の撮影モードに復帰する。
【００５７】
以上説明した第一の実施形態についてまとめる。
（１）角度検出センサ４４２がオン、すなわち、撮影する方向が表示ＬＣＤ３を観察する人（撮影者自身）の方向のとき、ワイドフォーカスエリアに切り替えるようにした（ステップＳ１４）。フォーカスエリア（焦点検出用の領域）を広げることにより、撮影者が自分自身を撮影するとき、もしくは撮影者自身を他の人物とともに撮影するとき、フォーカスエリア内に主要被写体が存在する可能性が高くなる。この結果、フォーカスエリア内に主要被写体が存在しないことによって背景にピント合わせをしてしまう「中抜け」を防止することができる。
【００５８】
（２）角度検出センサ４４２がオンのとき、ズームポジションを広角端にするようにした（ステップＳ１３）。画角を広げることによって撮影領域が広がるので、近距離撮影において複数の人物を撮影する場合などでも、撮影者がわざわざズーム操作スイッチ１６を操作しなくてよいので、使い勝手がよいカメラが得られる。
【００５９】
（３）撮影時に赤目軽減ランプ６をプリ発光させるようにした（ステップＳ２４）。これにより、撮影画像においてカメラ近傍に位置する撮影者自身などの人物の瞳が開いて「赤目」が生じることが抑制される。
【００６０】
（４）撮影時に「笑って」と音声再生させ（ステップＳ２４）、この後で露光開始するようにした。これにより、撮影される人物に撮影のタイミングを報知することができる。
【００６１】
−撮影者自身である人物撮影に適した設定−
（５）角度検出センサ４４２がオンで、セルフタイマー非作動の設定が行われている場合（ステップＳ１５を否定判定）に、撮影者自身である人物撮影に適した設定を行う。人物撮影に適した第１の設定として、測距範囲を撮影者の腕の長さに相当する４０cm〜８０cmの範囲（近距離）に制限するようにした（ステップＳ１６）ので、測距範囲を制限せずに４０cm〜無限遠の範囲で測距（ＡＦ）処理を行う場合に比べて、測距（ＡＦ）時間を短縮することができる。さらに、至近端から測距（ＡＦ）処理を行う至近優先ＡＦを行うので、すばやく測距することが可能になる。
【００６２】
（６）人物撮影に適した第２の設定として、被写体輝度に基づいた露出演算によって閃光装置４の発光が必要であると判定されるとき、閃光モードボタン１２による設定内容にかかわらず、適正露出が得られる光量より０．５ＥＶ相当少ない光量を設定するようにした（ステップＳ５１）。これにより、撮影画像においてカメラ近傍に位置する撮影者自身などの人物の顔に「白とび」が生じることが防止される。また、撮影者がわざわざ閃光モードボタン１２を操作しなくても発光禁止が自動的に解除されるので、カメラの使い勝手がよくなる。
【００６３】
（７）人物撮影に適した第３の設定として、被写体輝度に基づいた露出演算によって閃光装置４の発光が不要であると判定されるとき、所定値より少ない光量を閃光装置４に設定するようにした。これにより、撮影画像において撮影者自身などの人物の目を輝かせる効果が得られる。
【００６４】
（８）人物撮影に適した第４の設定として、露光後のホワイトバランス調整処理時において、肌色を重視して決定されるホワイトバランス調整値でホワイトバランス調整が行われるように設定した（ステップＳ５２）。この結果、撮影画像において撮影者自身などの人物の肌色部分をきれいに表現することができる。
【００６５】
（９）人物撮影に適した第５の設定として、露光後の輪郭強調処理時において、通常シーケンス（ステップＳ３５）より弱く輪郭強調が行われるように設定した（ステップＳ５３）。この結果、撮影画像において撮影者自身などの人物の顔の小皺などをぼかしてきれいに表現することができる。
【００６６】
（１０）人物撮影に適した第６の設定として、露出演算によって算出される適正露出に対し、＋０．５ＥＶの露出補正量をセットするようにした（ステップＳ５４）。この結果、撮影画像において撮影者自身などの人物の顔を白くきれいに表現することができる。
【００６７】
（１１）人物撮影に適した第７の設定として、露光後のガンマ補正処理時において、通常シーケンス（ステップＳ３５）より画像のコントラストを低くする補正処理が行われるように設定した（ステップＳ５６）。この結果、撮影画像においてカメラ近傍に位置する撮影者自身などの人物の顔に「白とび」が生じることが防止される。
【００６８】
−記念撮影モードの設定−
（１２）角度検出センサ４４２がオンで、セルフタイマー作動の設定が行われている場合（ステップＳ１５を肯定判定）に、風景撮影に適した設定（記念撮影モード）を行う。風景撮影に適した第１の設定として、測距範囲を４０cm〜２m の範囲（中距離）に制限するようにした（ステップＳ２５）ので、測距範囲を制限せずに４０cm〜無限遠の範囲で測距（ＡＦ）処理を行う場合に比べて、測距（ＡＦ）時間を短縮することができる。さらに、至近端から測距（ＡＦ）処理を行う至近優先ＡＦを行う（ステップＳ２７）ので、すばやく測距することが可能になる。
【００６９】
（１３）風景撮影に適した第２の設定として、被写体輝度に基づいた露出演算によって閃光装置４の発光が必要であると判定されるとき、閃光モードボタン１２の設定にかかわらず適正露出が得られる光量を設定するようにした（ステップＳ６１）。これにより、照明光が不足して被写体輝度が低い場合でもきれいに撮影することができる。また、撮影者がわざわざ閃光モードボタン１２を操作しなくても自動的に発光禁止が解除されるので、カメラの使い勝手がよくなる。
【００７０】
（１４）風景撮影に適した第３の設定として、被写体輝度に基づいた露出演算によって閃光装置４の発光が不要であると判定されるとき、所定値より少ない光量を閃光装置４に設定するようにした。上記（７）と同様に、撮影画像において撮影者自身などの人物の目を輝かせる効果が得られる。
【００７１】
（１５）風景撮影に適した第４の設定として、露光後のホワイトバランス調整処理時において、緑色を重視して決定されるホワイトバランス調整値でホワイトバランス調整が行われるように設定した（ステップＳ６２）。この結果、撮影画像において風景に代表される木々の緑や空の青をきれいに表現することができる。
【００７２】
（１６）角度検出センサ４４２のオンによって撮影者自身である人物撮影に適した設定、もしくは記念撮影モードの設定を行うと、花火撮影モード、クローズアップ撮影モード、風景撮影モードなどの設定されている撮影モードを解除し、角度検出センサ４４２がオフされた場合は、角度検出センサ４４２がオンされる直前の設定内容に戻るようにした。すなわち、角度検出センサ４４２がオンにされる直前に花火撮影モード、クローズアップ撮影モード、風景撮影モードなどのいずれかに設定されていた場合は、角度検出センサ４４２がオフされると、それぞれ元の撮影モードに復帰する。この結果、撮影者がわざわざメニューボタン１５を操作しなくても自動的に元の撮影モードに復帰するので、カメラの使い勝手がよくなる。
【００７３】
以上の説明では、セルフタイマーが作動する場合に所定時間が経過する前に測距処理する例を説明したが、所定時間が経過した後のステップＳ２９およびステップＳ２４の間で測距してもよい。
【００７４】
上述したステップＳ２４において、赤目軽減ランプ６を全ての場合に発光するようにしたが、被写体輝度が所定の輝度より低い場合にのみ発光させてもよい。
【００７５】
（第二の実施形態）
図１０は、本発明の第二の実施形態による電子カメラ１で行われる処理の流れを説明するフローチャートである。図１０のステップＳ１１において、ＣＰＵ４３９は、角度検出センサ４４２がオンか否かを判定する。ＣＰＵ４３９は、角度検出センサ４４２がオン、すなわち、電子カメラ１が図４に示す状態のとき、ステップＳ１１を肯定判定してステップＳ１１Ｂへ進む。一方、ＣＰＵ４３９は、角度検出センサ４４２がオフ、たとえば、電子カメラ１が図３に示す状態のとき、ステップＳ１１を否定判定してステップＳ３５へ進む。ステップＳ１１Ｂへ進む場合は、撮影者自身を撮影する場合であり、ステップＳ３５へ進む場合は、撮影対象が撮影者自身と異なる場合である。
【００７６】
ステップＳ３５において、ＣＰＵ４３９は、通常のシーケンス処理による撮影を行って図１０による処理を終了する。通常のシーケンス処理とは、角度検出センサ４４２による検出角度に応じた自動設定を行わない処理のことをいう。通常のシーケンス処理についての説明は省略する。
【００７７】
ステップＳ１１Ｂにおいて、ＣＰＵ４３９は、電子カメラ１の電源オン処理を行ってステップＳ１３へ進む。第二の実施形態による電子カメラ１は、メインスイッチ８がオフ位置に操作されていても、角度検出センサ４４２がオンされると電源オン処理を行うように構成されている。角度検出センサ４４２によって電源オンされた場合には、電子カメラ１に対する操作が行われない状態で所定時間（たとえば、３０秒）が経過すると、ＣＰＵ４３９が電源オフ処理を行う。所定時間の計時はＣＰＵ４３９内のタイマ回路（不図示）によって行われる。
【００７８】
ステップＳ１３において、ＣＰＵ４３９はレンズ駆動回路４３０に指令を出力し、撮影光学系２のズームレンズ（不図示）を広角端に移動させてステップＳ１４へ進む。
【００７９】
ステップＳ１４において、ＣＰＵ４３９は、焦点検出用の領域を広げる（ワイドフォーカスエリアにする）ようにレンズ駆動回路４３０に指示してステップＳ１４Ｂへ進む。
【００８０】
ステップＳ１４Ｂにおいて、ＣＰＵ４３９は、上述したタイマ回路の計時時間を長く（たとえば、３分）変更し、図６のステップＳ１５へ進む。以降の処理は第一の実施形態と同様である。
【００８１】
図１１は、第二の実施形態による自己撮影モードの設定処理の詳細を説明するフローチャートである。ＣＰＵ４３９は、図８による処理の代わりに図１１による処理を実行する。図１１のステップＳ５１において、ＣＰＵ４３９は、閃光モードボタン１２による設定内容にかかわらず、閃光装置４の発光量を通常より弱く設定し、ステップＳ６１へ進む。
【００８２】
ステップＳ６１において、ＣＰＵ４３９は、閃光モードボタン１２による設定内容にかかわらず閃光装置４に指令を出力し、赤目軽減ランプ６を動作させるモードに設定してステップＳ６２へ進む。ステップＳ６２において、ＣＰＵ４３９は、撮影画面内の複数のポイント（領域）で得られた測光量を露出演算に使用するマルチ測光モードに設定してステップＳ６３へ進む。ステップＳ６３において、ＣＰＵ４３９は、開放絞り値にする指令を絞り駆動回路４５３へ出力してステップＳ６４へ進む。なお、開放絞り値にする代わりに、露出演算で決定される絞り値、もしくは絞りの初期値より開放側の値に変更するものでもよい。
【００８３】
ステップＳ６４において、ＣＰＵ４３９は、シャッタ速度を高速（たとえば、１／２００秒）にする指令をシャッタ駆動回路４５４へ出力してステップＳ６５へ進む。ステップＳ６５において、ＣＰＵ４３９は、測距（ＡＦ）処理に外部センサー（不図示）を用いない（外部ＡＦをＯＦＦ）指令をレンズ駆動回路４３０へ出力し、ステップＳ６６へ進む。外部センサーは、パッシブＡＦやアクティブＡＦなどに用いるＡＦセンサーである。ステップＳ６６において、ＣＰＵ４３９は、測距（ＡＦ）処理にＴＴＬセンサーを用いる（ＴＴＬＡＦをＯＮ）指令をレンズ駆動回路４３０へ出力し、ステップＳ５５Ｂへ進む。ＴＴＬセンサーは、撮影レンズを通してコントラスト情報を得るものである。
【００８４】
ステップＳ５５Ｂにおいて、ＣＰＵ４３９は、測距値（撮影距離）、測光量（被写体輝度）、閃光装置の発光量、開放絞り値、および高速シャッタ速度を用いて露光量を決定し、図１１による処理を終了して図６のステップＳ２１へ進む。
【００８５】
以上説明した第二の実施形態によれば、次の作用効果が得られる。
（１）角度検出センサ４４２がオン、すなわち、撮影方向を撮影者自身の方向に向けると電源オン処理を行う（ステップＳ１１Ｂ）ようにしたので、メインスイッチ８の操作を省略することができ、操作が簡単になる。
【００８６】
（２）角度検出センサ４４２がオンされると、無操作時に電源オフ処理を行うためのタイマー計時時間を長く延ばして３分にした（ステップＳ１４Ｂ）。したがって、自己撮影準備中に電源オフされてしまうことを防止できる。
【００８７】
（３）角度検出センサ４４２がオン時にワイドフォーカスエリアに切り替えるようにした（ステップＳ１４）ので、主要被写体（撮影者自身）が撮影画角いっぱいの状態でも確実にピント合わせをすることができる。
【００８８】
（４）角度検出センサ４４２がオン時にズームポジションを広角端(Wide)にするようにした（ステップＳ１３）ので、主要被写体（撮影者自身）が撮影画角からはみ出すことがない。
【００８９】
（５）角度検出センサ４４２がオン時にマルチ測光モードに設定した（ステップＳ６２）ので、主要被写体（撮影者自身）が撮影画角いっぱいの状態でも確実に適正露出を得ることができる。
【００９０】
（６）角度検出センサ４４２がオン時に開放絞り値にする（ステップＳ６３）ようにしたので、主要被写体（撮影者自身）の背景をぼかすことができる。
【００９１】
（７）角度検出センサ４４２がオン時にシャッタ速度を高速にする（ステップＳ６４）ようにしたので、手ブレによる影響を抑制することができる。
【００９２】
（８）角度検出センサ４４２がオン時に外部ＡＦをオフ（ステップＳ６５）するとともにＴＴＬＡＦをオン（ステップＳ６６）したので、主要被写体（撮影者自身）の距離が１ｍ以内でも確実にピントを合わせることができる。
【００９３】
（９）角度検出センサ４４２がオン時に閃光装置を赤目軽減モードに設定した（ステップＳ６１）ので、閃光装置４が発光される際に自動的に赤目軽減ランプ６が発光されるようになる。この結果、撮影者自身などの人物の瞳が開いて「赤目」が生じることが抑制される。
【００９４】
上述した例では、シャッタ速度を高速にする例として１／２００秒に設定する（ステップＳ６４）ようにした。手ブレによる影響が抑えられる程度に高速であればよいので、１／２００秒でなくてもよく、１／６０秒でも１／１２５秒でもよい。
【００９５】
また、シャッタ速度を高速にする他の例として、測光量（被写体輝度）に基づく露出演算を行うことによって決定される制御シャッタ速度、もしくはシャッタ速度の初期値より高速側のシャッタ速度に設定するようにしてもよい。
【００９６】
電子カメラ１に対する操作が行われない状態で電源オフ処理を行うためのタイマー時間を長く変更する（ステップＳ１４Ｂ）場合に３分としたが、１０分に延ばしてもよいし、３０分にしてもよい。
【００９７】
タイムアップ後に電源オフ処理を行うを行う代わりに、ＬＣＤ用バックライト４４１の輝度を低下させるなどの省電力動作を行うようにしてもよい。
【００９８】
特許請求の範囲における各構成要素と、発明を実施するための最良の形態における各構成要素との対応について説明する。撮像素子は、たとえば、ＣＣＤ２１４によって構成される。表示モニタは、たとえば、表示ＬＣＤ３によって構成される。表示モニタ支持手段は、たとえば、モニターユニット１bによって構成される。角度検出手段は、たとえば、角度検出センサ４４２によって構成される。制御手段、測光手段および計時手段は、たとえば、ＣＰＵ４３９によって構成される。焦点検出装置は、たとえば、レンズ駆動回路４３０およびＣＰＵ４３９によって構成される。予備発光装置は、たとえば、赤目軽減ランプ６によって構成される。計時操作部材は、たとえば、撮影距離／セルフタイマー作動ボタン１１によって構成される。計時終了信号は、たとえば、タイムアップ信号が対応する。シャッタ制御手段は、たとえば、シャッタ駆動回路４５４およびＣＰＵ４３９によって構成される。絞り制御手段は、たとえば、絞り駆動回路４５３およびＣＰＵ４３９によって構成される。ホワイトバランス調整手段、輪郭強調処理手段、およびガンマ補正処理手段は、たとえば、ＤＳＰ４３３によって構成される。第１の撮影モードは、たとえば、通常の撮影シーケンスを行う撮影モードが対応する。第２の撮影モードは、たとえば、撮影シーンに応じた撮影モードが対応する。モード切り替え操作部材は、たとえば、メニューボタン１５およびＡＦ領域選択ボタン１９a〜１９dによって構成される。なお、本発明の特徴的な機能を損なわない限り、各構成要素は上記構成に限定されるものではない。
【図面の簡単な説明】
【００９９】
【図１】第一の実施形態による電子カメラの外観を示す上面図である。
【図２】図１の電子カメラの正面図である。
【図３】図１の電子カメラの通常撮影時の外観を示す上面図である。
【図４】図１の電子カメラで撮影者自身を撮影する時の外観を示す上面図である。
【図５】電子カメラの回路ブロック図である。
【図６】電子カメラのＣＰＵによって行われる処理の流れを説明するフローチャートである。
【図７】電子カメラのＣＰＵによって行われる処理の流れを説明するフローチャートである。
【図８】人物重視の設定処理の詳細を説明するフローチャートである。
【図９】記念撮影モードの設定処理の詳細を説明するフローチャートである。
【図１０】第二の実施形態による電子カメラで行われる処理の流れを説明するフローチャートである。
【図１１】自己撮影モードの設定処理の詳細を説明するフローチャートである。
【符号の説明】
【０１００】
１…電子カメラ
１a…レンズユニット
１b…モニターユニット
２…撮影光学系
３（４４１，４４７）…表示ＬＣＤ
４…閃光装置
６…赤目軽減・セルフタイマー作動表示ランプ
８…メインスイッチ
９…レリーズボタン
１１…撮影距離／セルフタイマー作動ボタン
１２…閃光モードボタン
１５…メニューボタン
１９a〜１９d…ＡＦ領域選択ボタン
２０８…シャッタ板
２１４…ＣＣＤ
２１５…絞り板
４３０…レンズ駆動回路
４３３…ＤＳＰ
４３９…ＣＰＵ
４４２…角度検出センサ
４５２…測色回路
【図１】
2004236287.tif 000003
【図２】
2004236287.tif 000004
【図３】
2004236287.tif 000005
【図４】
2004236287.tif 000006
【図５】
2004236287.tif 000007
【図６】
2004236287.tif 000008
【図７】
2004236287.tif 000009
【図８】
2004236287.tif 000010
【図９】
2004236287.tif 000011
【図１０】
2004236287.tif 000012
【図１１】
2004236287.tif 000013